(57)【要約】      （修正有）【課題】植物の体内及び植物の生育する土壌中へ、定量的に薬液を注入することのできる植物用薬液注入装置を提供する。【解決手段】薬液１３を内部に収容し、その一端に薬液１３を放出可能なノズル接続部２Ｂを備えるシリンダー２と、一方の端面がシリンダー２の内側に位置し、シリンダー２の軸線方向に沿って往復動可能であるピストン４と、シリンダー２の他端及びシリンダー２の外側に突出するピストン４の一部を支持するグリップ部材３と、を備える。シリンダー２には、グリップ部材３に握力が加えられていない初期状態に、ピストン４を軸線方向に変位させることのできるピストン調節ネジ部２Ｄと、初期状態から、グリップ部材３に握力が加えられることによりピストン４が往動してなる吐出状態までに、ノズル接続部２Ｂから吐出される薬液１３の量を表示する注入量表示部と、が設けられる。【選択図】図１
0003197823.tif 000002
【実用新案登録請求の範囲】
【請求項１】
薬液を内部に収容し、その一端に薬液を放出可能なノズル接続部を備えるシリンダーと、
一方の端面がシリンダーの内側に位置し、シリンダーの軸線方向に沿って往復動可能であるピストンと、
シリンダーの他端及びシリンダーの外側に突出するピストンの一部を支持するグリップ部材と、を備える植物用薬液注入装置であって、
前記シリンダーには、
前記グリップ部材に握力が加えられていない初期状態において、ピストンを軸線方向に変位させることのできるピストン調節ネジ部と、
前記初期状態から、前記グリップ部材に握力が加えられることによりピストンが往動してなる吐出状態までに、前記ノズル接続部から吐出される薬液の量を表示する注入量表示部と、が設けられることを特徴とする植物用薬液注入装置。
【請求項２】
前記シリンダーは、その外側面において薬液瓶と連通する薬液連通部が設けられることを特徴とする請求項１に記載の植物用薬液注入装置。
【請求項３】
前記ノズル接続部は、注入ノズルを脱着可能に形成されてなることを特徴とする請求項１又は２に記載の植物用薬液注入装置。
【考案の詳細な説明】
【技術分野】
【０００１】
本考案は、植物用薬液注入装置に関し、更に詳しくは、植物の体内及び植物の生育する土壌中へ、薬液を定量的に注入することのできる植物用薬液注入装置に関する。
【背景技術】
【０００２】
農園芸分野においては、植物への養分補給及び病害虫の防除等を目的として、植物及び植物の生育する土壌に対して、噴霧器及びラジコンヘリ等を使用し、薬液を散布することが広く行われている。しかし、薬液の散布を行うことによって、人及び家畜の健康に悪影響を及ぼしてしまうことがある。例えば、噴霧器を用いて薬液を噴霧する作業者が霧状の薬液を誤って吸引する危険性がある。また、作物、大気、地下水、河川、土壌等に薬液中に含まれる化学物質が蓄積されるという危険性もある。薬液の散布作業は、これらの危険性を最小限にするように、細心の配慮をもって行われる必要がある。
【０００３】
また、薬液の散布によっては、防除困難な病害虫が存在することが知られている。防除困難な病害虫の例としては、マツ類を枯損させるマツノザイセンチュウ、ナラ類を枯損させるナラ菌（Ｒａｆｆａｅｌｅａ  ｑｕｅｒｃｉｖｏｒａ）等が挙げられる。これらの病害虫の防除は、マツノザイセンチュウの寄主であるマツノマダラカミキリ、ナラ菌の寄主であるカシノナガキクイムシを薬液散布によって駆除することにより行われる。しかし、マツノマダラカミキリ及びカシノナガキクイムシを駆除するには、高濃度の薬液を散布することが必要である。近隣に住宅地が存在する農地においては、人への健康被害の発生を防止するという観点から、高濃度の薬液散布を行うことができず、マツノザイセンチュウ及びナラ菌の防除を行うことが難しい。
【０００４】
人、家畜、及び周辺環境への悪影響を低減するために、薬液の散布に代わり、薬液注入方法が用いられることがある。薬液注入方法の一例としては、樹木等の植物体の外側面にドリル等を用いて孔を開け、この孔に薬液注入ノズルを挿入し、植物の体内に薬液を注入する方法が挙げられる。また、薬液注入方法の他の一例としては、植物の生育する土壌中に細い穴を掘り、この穴に薬液注入ノズルを挿入し、土壌中に薬液を注入する方法が挙げられる。
【０００５】
前記薬液注入方法について記載された先行技術文献の具体例として、特許文献１が挙げられる。特許文献１には、「シリンダー部と、前記シリンダー部に連通する細管状のノズルと、前記シリンダー内を摺動するピストンと、前記シリンダー内の残液を排出可能なドレンプラグと、伸縮性を有する密閉薬液タンクとを備え、前記密閉薬液タンクがシリンダー部に連通する様に取り付けられてなり、・・・植物又は植物周辺土壌に対する薬液注入装置」が開示されている（特許文献１の請求項１参照）。
【０００６】
また、特許文献１には、「銃形本体２の後端部にストローク調節ネジ２０があり、ストローク調節ネジ２０を回転させると、銃形本体２内におけるネジの突出量が変化する。そしてストローク調節ネジ２０は、前記した様にピストンの出ししろを規制するものであり、ストローク調節ネジ２０を調節することによって、薬液を吸引する際の空間５２の容積が決まる」と開示されている（特許文献１の段落番号００４５欄参照）。しかし、特許文献１には、ストローク調節ネジ２０と空間５２との対応関係が明確に開示されていない。よって、特許文献１に開示されている薬液注入装置では、薬液の注入量を厳密に制御する定量的な薬液注入作業を行うことができない。植物及び土壌に注入する薬液には、高濃度の有効成分が含まれていることが一般的であり、僅かな薬液の注入量の違いによって、植物及び害虫等の生育に大きな影響を与えることがある。例えば、薬液の注入量が所定の量より僅かに多くなることによって、植物に薬害が生じて植物の生育不良が引き起こされることもあるし、薬液の注入量が所定の量より僅かに少なくなることによって、害虫の駆除に失敗することもある。以上のように、定量的な注入を行うことのできない薬液注入装置を用いることによって、薬液注入量に誤差が生じ、種々の問題が引き起こされることがある。従来、定量的に薬液を注入することのできる植物又は植物の生育する土壌に対する植物用薬液注入装置は知られていない。
【０００７】
また、特許文献１に開示されている薬液注入装置では、「密閉薬液タンクは、銃身部の上に取付けられて」いる（特許文献１の請求項１、及び図１等参照）。銃身部の上に薬液タンクが設けられている薬液注入装置において、容量の大きい薬液タンクが銃身部に取り付けられると、薬液注入作業を行う際に、作業者の腕に負担がかかり、作業効率が落ちてしまうという問題がある。銃身部の上に薬液タンクを設ける薬液注入装置では、薬液剤タンクの容量を大きくすることができず、大量の薬液注入を行う際には何度も薬液タンクを脱着しなくてはならず、操作が煩雑になるという問題がある。
【先行技術文献】
【特許文献】
【０００８】
【特許文献１】特許５３８６１９４号公報
【考案の開示】
【考案が解決しようとする課題】
【０００９】
本考案は、植物の体内及び植物の生育する土壌中へ、定量的に薬液を注入することのできる植物用薬液注入装置を提供することである。
【課題を解決するための手段】
【００１０】
本考案の手段は、
（１）薬液を内部に収容し、その一端に薬液を放出可能なノズル接続部を備えるシリンダーと、一方の端面がシリンダーの内側に位置し、シリンダーの軸線方向に沿って往復動可能であるピストンと、シリンダーの他端及びシリンダーの外側に突出するピストンの一部を支持するグリップ部材と、を備える植物用薬液注入装置であって、
前記シリンダーには、前記グリップ部材に握力が加えられていない初期状態において、ピストンを軸線方向に変位させることのできるピストン調節ネジ部と、前記初期状態から、前記グリップ部材に握力が加えられることによりピストンが往動してなる吐出状態までに、前記ノズル接続部から吐出される薬液の量を表示する注入量表示部と、が設けられることを特徴とする植物用薬液注入装置、
（２）前記シリンダーは、その外側面において薬液瓶と連通する薬液連通部が設けられることを特徴とする請求項１に記載の植物用薬液注入装置、
（３）前記ノズル接続部は、注入ノズルを脱着可能に形成されてなることを特徴とする請求項１又は２に記載の植物用薬液注入装置、である。
【考案の効果】
【００１１】
本考案における植物用薬液注入装置には、グリップ部材に握力を加えることにより吐出される薬液の量を表示する注入量表示部が設けられる。注入量表示部を見ながら、ピストン調節ネジ部を回転させることによって注入量を調節した後に、グリップ部材を握って握力を加えることにより、注入量表示部に表示された量の薬液が、吐出される。よって、本考案における植物用薬液注入装置を用いることにより、定量的に薬液を注入することができる。
【００１２】
樹木等の植物体内に薬液を注入する際には、注入ノズルとして軟質のプラスチックチューブを用いることが好ましい一方で、土壌中に薬液を注入する際には、注入ノズルとして棒状である硬質の注入管体を用いることが好ましい。本考案における植物用薬液注入装置のノズル接続部は、注入ノズルと脱着可能に形成されていることにより、植物の体内へ薬液を注入する際と、土壌中へ薬液を注入する際とで、最適な注入ノズルを適宜に使い分けることができる。
【図面の簡単な説明】
【００１３】
【図１】図１は、本考案に係る植物用薬液注入装置の一例を示す、説明図である。
【図２】図２は、図１の植物用薬液注入装置における薬液収容管部２Ａの拡大図であり、（Ａ）は薬液を吐出する前の状態を示し、（Ｂ）は薬液を吐出した後の状態を示す。
【図３】図３は、本考案に係る植物用薬液注入装置の他の一例を示す、右側面図である。
【図４】図４は、図３の植物用薬液注入装置の一部を示す、拡大平面図である。
【図５】図５は、本考案に係る植物用薬液注入装置のノズル接続部に脱着される吐出ノズルの一例を示す、説明図である。
【考案を実施するための最良の形態】
【００１４】
以下、図面を用いて本考案を詳細に説明する。
【００１５】
本考案の植物用薬液注入装置１は、シリンダー２と、グリップ部材３と、ピストン４と、を有する。
【００１６】
シリンダー２は、薬液収容管部２Ａ、ノズル接続部２Ｂ、薬液収容管保持部２Ｃ、及びピストン調節ネジ部２Ｄからなる。薬液収容管部２Ａは、軸線方向に長手状の筒状体に形成される。薬液収容管部２Ａの内側空間には、薬液が収容される。シリンダー２の吐出方向における一方の端部、つまり図１における左向きの矢印で示される吐出方向Ａ側の端部には、ノズル接続部２Ｂが設けられる。ノズル接続部２Ｂは、その端部において開口し、ノズル接続部２Ｂの内径は薬液収容管部２Ａの内径よりも小さい。後述するように、ピストン４が往動することによって、シリンダー２の内部に収容された薬液は、ノズル接続部２Ｂ及びノズル接続部２Ｂに接続された注入ノズルを通って、外部へ吐出される。
【００１７】
薬液収容管部２Ａの吐出方向とは反対側における他方の端部、つまり図２における右向きの矢印で示されるグリップ方向Ｂ側の端部には、薬液収容管保持部２Ｃが設けられる。薬液収容管部２Ａにおける他方の開口端面は、薬液収容管保持部２Ｃの吐出方向Ａにおける端面と当接する。これにより、薬液収容管部２Ａにおけるグリップ方向Ｂ側の端面を越えて、薬液収容管部２Ａ内に収容された薬液がグリップ方向Ｂ側へ流出することが防止される。薬液収容管保持部２Ｃは、略円錐台形状を有し、吐出方向Ａにおける端面の外径がグリップ方向Ｂにおける端面の外径よりも小さくなるように、側面はテーパー形状を有する。薬液収容管保持部２Ｃには２つの端面の間を貫通する貫通孔が設けられ、この貫通孔にピストン４が内挿される。ピストン４は、薬液収容管保持部２Ｃの貫通孔において、ピストン自身の軸線方向に沿って往復動可能であるが、軸線方向とは垂直な面上において殆ど変位不可能に、支持される。薬液収容管保持部２Ｃは、吐出方向Ａにおける端面において薬液収容管部２Ａの端面と当接する一方で、グリップ方向Ｂ側の端面において、グリップ部材３の一部と当接する。
【００１８】
グリップ部材３は、シリンダー支持部３Ａとハンドル部３Ｂとを有する。シリンダー支持部３Ａとハンドル部３Ｂとは、シリンダー２の軸線方向とは略垂直に、互いに距離を開けて略平行に延在する。シリンダー支持部３Ａ及びハンドル部３Ｂは、その一端近傍においてシリンダー２のグリップ方向Ｂにおける端部及びシリンダー２から突出するピストン４を支持し、その他端において架橋部３Ｃが設けられる。架橋部３Ｃの内側にはバネ等の負勢部材が設けられ、この負勢部材の負勢力によって、グリップ部材３に握力が加えられていない初期状態においては、シリンダー支持部３Ａとハンドル部３Ｂとは一定の距離を開けて存在する。グリップ部材３を握って握力を加えると、架橋部３Ｃの内側に設けられた負勢部材が変形し、架橋部３Ｃにおけるハンドル部３Ｂとの当接部が、ハンドル部３Ｂの軸線方向と略平行にスライドすることにより、ピストン４を支持するハンドル部３Ｂの端部とシリンダー２との間隔が狭まり、ピストン４は吐出方向Ａに向かって往動する。一方で、グリップ部材３に加えられていた握力を解放すると、負勢部材の負勢力によって架橋部３Ｃが図１で示される初期状態の形態に徐々に戻り、ピストン４を支持するハンドル部３の端部とシリンダー２の端部との間隔が広がることにより、ピストン４はグリップ方向Ｂへ向かって復動する。
【００１９】
ピストン４は、一方の端面（以下、「押圧端面」と称することがある。）がシリンダー２の内側に位置する。より具体的には、ピストン４における押圧端面４Ａは、薬液収容管部２Ａの内側空間に位置する。押圧端面４Ａにおけるピストンの外周面と薬液収容管部２Ａの内壁面とは、液密に密着する。よって、図１に示される例では、薬液収容管部２Ａの内側空間に存在する薬液が、押圧面４Ａよりもグリップ方向Ｂに向かって流入することが防止される。グリップ部材３に握力を加えると、ピストン４は押圧面４Ａにおける液密状態を維持しながら吐出方向Ａへ向かって往動する。ピストン４の往動により、薬液収容管部２Ａ内における薬液には押圧力が加えられ、ノズル接続部２Ｂ及びノズル接続部２Ｂに接続された吐出ノズルから薬液が吐出される。
【００２０】
図１における植物用薬液注入装置では、図２に示されるように薬液収容管部２Ａにおいて注入量表示部１５が設けられる。注入量表示部１５には、目盛り及びその目盛りに対応する数値が表示される。注入量表示部１５は、薬液収容管部２Ａの外壁面に形成されていてもよく、薬液収容管部２Ａの内壁面に形成されていてもよい。薬液収容管部２Ａは、注入量表示部１５、内側に収容された薬液１３、及びピストン４を外側から視認しやすいように、透明に形成されることが好ましい。図２において注入量表示部１５に表示される数値は、吐出方向Ａに向かうにつれて小さい値となり、グリップ方向Ｂに向かうにつれて大きい値となる。また、数値の単位は特に限定されないが、図２に示される例では、単位は「ｍｌ」である。注入量表示部１５の最小値は「０．０ｍｌ」を示し、最大値は「２．０ｍｌ」を示し、０．２ｍｌ毎に目盛りが設けられる。
【００２１】
グリップ部材３に握力が加えられることにより、ピストン４は吐出方向Ａに向かって往動する。より具体的には、握力を加えられたグリップ部材３と同調して往動するピストン４は、その押圧端面４Ａが注入量表示部１５における「０．０ｍｌ」の目盛りの位置において往動を停止する。図２の（Ａ）の例では、初期状態における押圧端面４Ａは「１．０ｍｌ」の数値に対応する目盛りに位置する。グリップ部材３に握力を加えると、図２の（Ｂ）のように、押圧端面Ａは「０．０ｍｌ」の数値に対応する目盛りの位置まで変位する。よって、１回の吐出動作によって、「１．０ｍｌ」の薬液が吐出されることになる。
【００２２】
ピストン調節ネジ部２Ｄは、シリンダー支持部３Ａとハンドル部３Ｂとの間に設けられ、平面視において略円形状に形成される。ピストン調節ネジ部２Ｄの中心部近傍には、ピストン４の外側面に設けられた雄ネジと螺合する雌ネジが設けられる。ピストン調節ネジ部２Ｄを周方向に回転させると、雌ネジと雄ネジとの螺合により、ピストン４は周方向に回転しながら軸線方向に沿って往動又は復動する。ピストン調節ネジ部２Ｄを回転させることにより、グリップ部材３に握力が加えられていない初期状態における押圧端面４Ａの軸線方向の位置を変位させることができる。具体的に、１回の注入操作で１．０ｍｌの薬液を注入することを意図している場合には、ピストン４の押圧面４Ａが注入量表示部１５における「１．０」の目盛りの位置まで変位するように、薬液収容管部２Ａに設けられた注入量表示部１５を見ながら、ピストン調節ネジＢ２Ｄを回転させることができる。
【００２３】
尚、注入量表示部における数値、目盛りが設けられる間隔、及び数値の単位等は、薬液収容管部２Ａの大きさ等に応じて適宜設計変更することができる。
【００２４】
また、注入量表示部は、薬液収容管部ではなく、ピストン調節ネジ部に設けられていてもよい。図４に示される例では、ピストン調節ネジ部４２Ｄの外周面において、その周方向に沿って大きい順又は小さい順に異なる複数の数値が記載された数値表示部４５Ｂが設けられる。また、ピストンネジ部４２Ｄの外周面の一部には、前記数値表示部４５Ｂにおける１つの数値を表示する表示窓４５Ａが設けられる。ピストン調節ネジ部４２Ｄにおいて表示窓４５Ａが設けられる部材と、数値表示部４５Ｂが設けられる部材とは二重管構造になっている。ピストン調節ネジ部４２Ｄを回転させると、表示窓４５Ａは周方向に沿って回転しないが、数値表示部４５Ｂは周方向に沿って回転する。ピストン調節ネジ部４２Ｄを回転させると、表示窓４５Ａに表示される数値表示部４５Ｂにおける数値を大きくしたり、小さくしたりすることができる。表示窓４５Ａに表示された数値は、グリップ部材に握力を加えることによって行われる１回の注入量に対応する。ピストン調節ネジ部４２Ｄを回転させると、表示窓４５Ａに表示された注入量に対応する位置まで、ピストン４４が軸線方向に沿って変位する。図４の例では、表示窓に「１．０」と示されており、１回の注入量が１．０ｍｌとなる位置まで、ピストンは変位する。
【００２５】
シリンダーは、その一部において薬液連通部が設けられることが好ましい。図１では、薬液連通部５は、シリンダー２における薬液収容管部２Ａの外側面から突出し、管状に形成される。薬液連通部５におけるピストン４と反対側の端面には、薬液の漏れを防ぐシール部材９、及び受皿１０が設けられる。針管１１は、薬液連通部５、シール部材９、及び受皿１０の内側を貫通し、鋭利な先端部が受皿１０の内側における皿面から突出する。受皿１０の内側には、薬液瓶１２が設置される。薬液瓶１２の典型例として、バイアル瓶が挙げられる。薬液瓶１２の上部蓋面に、針管１１を貫通させることにより、薬液１３は針管１１内を通ってシリンダー２へと流入し、シリンダー２の内側が薬液によって満たされる。
【００２６】
図１で示すように、薬液瓶１２がシリンダー２の上部に設けられる例では、薬液瓶１２及び薬液瓶１２の内側に収容された薬液１３による重量を、使用者が操作中に手で支えなければならない。薬液瓶１２がシリンダー２の上部に設けられる例では、使用者が注入操作を行いやすいように、薬液瓶１２の容量は２０ｍｌ以上１００ｍｌ以下程度であることが好ましい。
【００２７】
図３で示される植物用薬液注入装置４１では、薬液連通部がシリンダーの外側面に設けられない。植物用薬液注入装置４１では、ピストン４４が中空状に形成されるとともに、前記シリンダー４２の外側に位置するピストン４４の開口端部４４Ｂが薬液吸上管５５と接続される。薬液吸上管５５としては、軟質のプラスチック製チューブを使用することができる。開口端部４４Ｂは、薬液吸上管５５の一端と接続される。薬液吸上管５５の他端は、薬液タンク５２の内側に収容された薬液５３中に浸漬される。また、図３には図示していないが、シリンダー４２から薬液タンク５２への薬液の逆流を防ぐために、薬液吸上管５５の一部には、逆止弁が設けられていてもよい。
【００２８】
ピストン４４は、その押圧端面４４Ａの少なくとも一部に孔を有する。この孔は、ピストン４４の内側空間と連通する。開口端部４４Ｂから吸い上げられた薬液５３は、ピストン４４の内側空間を通過し、押圧端面４４Ａに設けられた孔から薬液収容管部４２Ａへと移動する。
【００２９】
植物用薬液注入装置４１では、シリンダー４２の上部に薬液タンク５２が設置されない。よって、薬液タンク５２の容量を大きくしても、注入操作時に薬液タンクを手で支えなければならないわけではなく、安定して注入操作を行うことができる。具体的には、薬液タンク５２を地面に載置したまま、グリップ部材４３を操作し、薬液注入を行うことができる。また、薬液タンク５２の外周面にベルトを装着し、使用者はこのベルトを首から掛けること、又はリュック様にベルトを用いて薬液タンク５２を背負うことによって、薬液タンク５２を手で支えずに、薬液タンク５２を移動させながら、注入操作を行うことができる。
【００３０】
薬液タンク５２としては、例えば１０００ｍｌ以上５０００ｍｌ以下の薬液が収容されるタンクを使用することができる。
【００３１】
本考案に用いられる薬液は、植物の体内及び植物の生育する土壌中に注入される液状体であればよい。薬液としては、各種の農薬、及び液状肥料等が挙げられる。各種の農薬としては、殺虫剤、殺菌剤、殺虫殺菌剤、除草剤、及び植物調節剤等が挙げられる。
【００３２】
本考案における植物用薬液注入装置が用いられる対象は、植物及び植物が生育する土壌である。植物の典型例としては、アカマツ、クロマツ、エゾマツ、トドマツ、カラマツ、及びドイツトウヒ等のマツ類、スギ、サワラ、及びヒノキ等のスギ類、並びにサクラ類等の木本植物が挙げられる。
【００３３】
次に、ノズル接続部に接続され、薬液注入に用いられる各種の注入ノズルについて説明する。
【００３４】
注入ノズルの一例として、軟質のプラスチックチューブが挙げられる。軟質のプラスチックチューブは、特に樹木等の植物体内に薬液を注入する際に好適に用いられる。例えば、樹木の側面に、ドリルを用いて維管束にまで達する孔を開け、この孔内にプラスチックチューブを通すことにより、樹木内に薬液を注入することができる。プラスチックチューブの好適例として、塩化ビニルチューブ、ポリエチレンチューブ、ポリプロピレンチューブ、及びウレタンチューブ等を挙げることができる。ノズル接続部と注入ノズルとは、ルアーロック式により接続させることができる。
【００３５】
注入ノズルの他の一例として、図５で示される土壌注入管５１が挙げられる。土壌
注入管５１は、注入管体５１Ａと軟質チューブ５１Ｂとを有する。注入管体５１Ａは、
土壌中に突刺されることにより、地中深くに薬液を注入することができる。注入管体
５１Ａは、例えば、長さが０．５ｍ以上２．０ｍ以下程度に形成されることができる。
注入管体５１Ａとしては、土壌中に突刺した際に、注入管体５１Ａが倒れることなく
立設されるように硬質の管材が用いられる。注入管体５１Ａの典型例として、硬質塩
化ビニル管が挙げられる。注入管体５１Ａは、その両端面においては開口せず、その
一端部近傍における側面に、注入開口部５４を有する。また、注入管体５１Ａは、
他端部近傍において、軟質チューブ５１Ｂと連通する。軟質チューブ５１Ｂの開口端
部は、植物用薬液注入装置におけるノズル接続部に接続される。軟質チューブとノズ
ル接続部とは、ルアーロック方式により接続させることができる。ハンドル部に握力
を加えると、植物用薬液注入装置から圧出された薬液は、軟質チューブ５１Ｂ及び注
入管体５１Ａ内を通過し、注入開口部５４から吐出される。
【００３６】
次に、本考案に係る植物用薬液注入装置の作用について説明する。
【００３７】
まず、図１を用いて植物用薬液注入装置１の作用について説明する。植物用薬液注入装置１を使用する際には、ピストン調節ネジ部２Ｄを回転し、ピストン４の位置を調節することによって、注入量を調節する。具体的には、薬液収容管部２Ａの側面における注入量表示部１５を見ながら、押圧端面４Ａの位置を調節する。次に、ノズル接続部２Ｂに、注入ノズルを装着する。樹木等の植物体内に薬液を注入する例では、ノズル接続部２Ｂに軟質のプラスチックチューブを装着する。
【００３８】
また、針管１１の先端部を鉛直下方向に向かせながら、薬液が内側に収容されたバイアル瓶の蓋面に針管１１を突き刺す。さらに、バイアル瓶をひねりながら、針管１１を薬液瓶１２の内側まで深く捻じ込む。次いで、針管１１の先端部を鉛直上方向に向かせると、針管１１の先端部から薬液連通部５を通って、薬液１３が薬液収容管部２Ａに流入する。
【００３９】
次に、ドリル等を用いて樹木の外表面を切削し、樹木の維管束にまで達する孔を開ける。具体的な一例としては、孔径が約５ｍｍ、樹木の軸線と孔の軸線とによって形成される角度が約４５°、孔の軸線方向における長さが約４ｃｍ程度の孔が挙げられる。ドリルによって開けた前記孔にプラスチックチューブを挿入し、グリップ部材を握って握力を加える。グリップ部材に握力が加えられることにより、ピストン４が吐出方向Ａに向かって往動し、押圧面４Ａにおいて薬液収容管部２Ａ内の薬液に押圧力が加えられる。これにより、薬液収容管部２Ａ内の薬液１３がプラスチックチューブを介して、樹木の体内へと注入される。
【００４０】
本考案における植物用薬液注入装置１では、グリップ部材３に握力が加えられていない初期状態から、グリップ部材３に握力が加えられた押圧状態に到るまでに、ピストン４の押圧端面４Ａによって吐出される薬液の体積は、前記初期状態においてピストン４の押圧端面４Ａが位置する注入量表示部１５の目盛りにおける数値と対応する。具体的には、初期状態において数値「１．０」の目盛りに位置していた押圧面４Ａは、往動後において数値「０．０」の目盛りの位置まで、往動する。よって、押圧面４Ａの往動した容積である「１．０ｍｌ」分の薬液が、注入ノズルから植物体内へ注入される。本考案における植物用薬液注入装置では、予め押圧面４Ａの位置を、注入量表示部１５を見ながら調節しておくことにより、注入量表示部１５により示される定量の薬液を注入することができる。
【００４１】
薬液の注入後は、グリップ部材３における握力を解かず、グリップ部材３を握ったまま、プラスチックチューブを樹木の体外に取り出す。この際に、ノズルの先端から液だれが生じないように、植物用薬液注入装置１をなるべく水平に保つことが好ましい。次いで、薬液瓶１２がシリンダー２の下部を向くように、シリンダー２の上下を反転させ、受皿１０及び薬液瓶１２を把持し、針管１１を薬液瓶１２から取り外す。その後、廃液ビン内にプラスチックチューブの先端部を挿入し、植物用薬液注入装置１のノズル接続部２Ｂを下方向に向けながら、グリップ部材３に数回握力を加えることにより、シリンダー２内の薬液を抜き取ることができる。
【００４２】
次に、図３の植物用薬液注入装置４１の作用について説明する。植物用薬液注入装置４１を使用する際には、まず、ピストン調節ネジ部４２Ｄを回転し、注入量を調節する。具体的には、表示窓４５Ａを見ながら、ピストン調節ネジ部４２Ｄを回転させる。表示窓４５Ａに表示された数値は１回の吐出による注入される薬液の体積を示すので、所望の注入量の数値が表示窓４５Ａに表示されるまで、ピストン調節ネジ部４２Ｄを回転させる。次に、ノズル接続部４２Ｂに、注入ノズルを装着する。また、ピストン４４の開口端部４４Ｂに、薬液吸上管５５を接続する。
【００４３】
ノズル接続部４２Ｂを鉛直上向きにしながら、注入ノズルの先端を薬液タンク内の薬液に浸け、グリップ部材４３を数回握る。グリップ部材４３に加えられた握力が解除される際、ピストン４４Ａの復動によって、薬液収容管部４２Ａの内部に陰圧が生じ、薬液が薬液収容管部４２Ａ内に流入する。また、ノズル接続部４２Ｂを鉛直上向きに、ピストン調節ネジ部４２Ｄを鉛直下向きにしているので、重力に従って薬液はピストンの内側空間に流入し、さらに薬液吸上管５５内も薬液で満たされる。
【００４４】
樹木に薬液を注入する際には、ドリルによって樹木に開けた孔にプラスチックチューブを挿入し、グリップ部材４３を握って握力を加える。グリップ部材４３に握力が加えられることにより、ピストン４４が往動し、押圧端面４４Ａにおいて薬液収容管部４２Ａ内の薬液に押圧力が加えられる。これにより、薬液収容管部４２Ａ内の薬液が注入ノズルを介して、樹木の体内へと注入される。
【００４５】
本考案における植物用薬液注入装置４１では、グリップ部材４３に握力が加えられていない初期状態から、グリップ部材４３に握力が加えられた押圧状態に到るまでに、ピストン４４の押圧端面４４Ａによって吐出される薬液の体積は、表示窓４５Ａに表示されている数値と一致する。具体的には、表示窓４５Ａに「１．０」という値が表示されている場合には、ピストン４４の往動によって、「１．０ｍｌ」分の薬液が、注入ノズルから圧出される。本考案における植物用薬液注入装置では、予めピストン調節ネジ部４２Ｄを回転させ、表示窓４５Ａの数値を調節しておくことにより、表示窓４５Ａにおいて表示される定量の薬液を注入することができる。
【００４６】
薬液の注入後は、グリップ部材４３における握力を解かず、グリップ部材４３を握ったまま、プラスチックチューブを樹木の体外に取り出す。この際に、ノズルの先端から液だれが生じないように、植物用薬液注入装置４１をなるべく水平に保つことが好ましい。その後、注入ノズルの先端を廃液ビンに挿入し、ノズル接続部４２Ｂを下に向けながら、注入グリップ４３に数回握力を加えることによって、薬液収容管部４２Ａに残留していた薬液を抜き取ることができる。
【符号の説明】
【００４７】
１、４１            植物用薬液注入装置
２、４２            シリンダー
２Ａ、４２Ａ        薬液収容管部
２Ｂ、４２Ｂ        ノズル接続部
２Ｃ、４２Ｃ        薬液収容管保持部
２Ｄ、４２Ｄ        ピストン調節ネジ部
３、４３            グリップ部材
３Ａ、４３Ａ        シリンダー支持部
３Ｂ、４３Ｂ        ハンドル部
３Ｃ、４３Ｃ        架橋部
４、４４            ピストン
４Ａ、４４Ａ        押圧端面
５                  薬液連通部
９                  シール部材
１０                受皿
１１                針管
１２                薬液瓶
１３、５３          薬液
１５、４５          注入量表示部
４４Ｂ              開口端部
４５Ａ              表示窓
４５Ｂ              数値表示部
５１                土壌注入管
５１Ａ              注入管体
５１Ｂ              軟質チューブ
５２                薬液タンク
５４                注入開口部
５５                薬液吸上管
Ａ                  吐出方向
Ｂ                  グリップ方向
【図１】
0003197823.tif 000003
【図２】
0003197823.tif 000004
【図３】
0003197823.tif 000005
【図４】
0003197823.tif 000006
【図５】
0003197823.tif 000007